(57)【特許請求の範囲】
【請求項１】
２つの電源モジュールと、該２つの電源モジュールから直流出力の供給を受ける負荷を有する電子機器において、
２組の入出力ブロックを備えた第１電源コネクタと、同じく２組の入出力ブロックを備えた第２電源コネクタを具備し、
前記第１電源コネクタの一方の出力ブロックを第１電源モジュールの入力ラインに接続するとともに前記第２電源コネクタの他方の出力ブロックに接続し、前記第２電源コネクタの一方の出力ブロックを第２電源モジュールの入力ラインに接続するとともに前記第１電源コネクタの他方の出力ブロックに接続することを特徴とする２入力給電可能電子機器。
【請求項２】
請求項１記載の２入力給電可能な電子機器の給電方法であって、
商用電力による１入力給電の場合、第２電源コネクタの２組の入力ブロックをループ接続し、商用電力を第１電源コネクタの一方の入力ブロックに入力することにより、該第１電源コネクタから第１電源モジュールへ給電するとともに、該第１電源コネクタから第２電源コネクタを介して第２電源モジュールへ給電することを特徴とする給電方法。
【請求項３】
請求項１記載の２入力給電可能電子機器の給電方法であって、  商用電力とバックアップ電力による２入力給電の場合、商用電力を第１電源コネクタの一方の入力ブロックに入力することにより、該第１電源コネクタから第１電源モジュールへ給電し、バックアップ電力を第２電源コネクタの一方の入力ブロックに入力することにより、該第２電源コネクタから第２電源モジュールへ給電することを特徴とする給電方法。
【発明の詳細な説明】
【０００１】
【発明の属する技術分野】
本発明は、機器の直流電源負荷の給電を２つの電源モジュールの並列接続により行う場合、二つの電源モジュールへの給電を機器設置の電源設備環境により１入力または２入力給電できる電子機器及びその給電方法に関するものである。
【０００２】
【従来の技術】
機器設置の電源設備に対する機器への電力給電を１入力から２入力の接続替え、またその逆の接続替えを行う場合、給電ケーブルの接続漏れや接続手順ミスなどにより、機器への電源不良や入力電源ショートによる重大な電源事故を引き起こす恐れがあり、このような人的ミスによる誤接続の要因を無くす必要がある。
【０００３】
従来、例えば特開平０７−３２７３２８号公報に記載のように、バックアップ電源による２入力の電力給電に関する技術は種々提案されているが、上記のようなことに主眼を置く給電方式は見当らない。
【０００４】
【発明が解決しようとする課題】
本発明は、上記のような事情報に鑑み為されたもので、電子機器の直流電源負荷給電を２つの電源モジュールの並列接続により行う場合、１入力給電であってあたかも２入力で給電しているかのように誤って給電することがなく、また、２入力給電で誤って１入力給電を行うことがない２入力給電可能電子機器及びその給電方法を提供することを目的とする。
【０００５】
【課題を解決するための手段】
請求項１の発明は、２つの電源モジュールと、該２つの電源モジュールから直流出力の供給を受ける負荷を有する電子機器において、２組の入出力ブロックを備えた第１電源コネクタと、同じく２組の入出力ブロックを備えた第２電源コネクタを具備し、前記第１電源コネクタの一方の出力ブロックを第１電源モジュールの入力ラインに接続するとともに前記第２電源コネクタの他方の出力ブロックに接続し、前記第２電源コネクタの一方の出力ブロックを第２電源モジュールの入力ラインに接続するとともに前記第１電源コネクタの他方の出力ブロックに接続することを特徴とする。
【０００６】
請求項２記載の発明は、上記請求項１記載の２入力給電可能な電子機器の給電方法であって、商用電力による１入力給電の場合、第２電源コネクタの２組の入力ブロックをループ接続し、商品電力を第１電源コネクタの一方の入力ブロックに入力することにより、該第１電源コネクタから第１電源モジュールへ給電するとともに、該第１電源コネクタから第２電源コネクタを介して第２電源モジュールへ給電することを特徴とする。
【０００７】
請求項３記載の発明は、上記請求項１記載の２入力給電可能な電子機器の給電方法であって、商用電力とバックアップ電力による２入力給電の場合、商用電力を第１電源コネクタの一方の入力ブロックに入力することにより、該第１電源コネクタから第１電源モジュールへ給電し、バックアップ電力を第２電源コネクタの一方の入力ブロックに入力することにより、該第２電源コネクタから第２電源モジュールへ給電することを特徴とする。
【０００８】
【発明の実施の形態】
以下、本発明の一実施例について図面を参照して説明する。
図１に本発明による２入力給電可能な電子機器の一実施例を示す。図１において、本電子機器１は電源モジュール（１）２、電源モジュール（２）３、直流電源負荷４、入力コネクタ（１）５と出力コネクタ（１）７の電源コネクタ（１）１００、入力コネクタ（２）６と出力コネクタ（２）８の電源コネクタ（２）２００などからなる。入力コネクタ（１）５は入力ブロック（１）９と入力ブロック（２）１０の２組の入力ピンを具備し、同様に、入力コネクタ（２）６は入力ブロック（３）１１と入力ブロック（４）１２の２組の入力ピンを具備する。これらの入力コネクタ（１）５、入力コネクタ（２）６に対応して、出力コネクタ（１）７は出力ブロック（１）１３と出力ブロック（２）１４の２組の出力ピンを具備し、同様に、出力コネクタ（２）８は出力ブロック（３）１５と出力ブロック（４）１６の２組の出力ピンを具備している。
【０００９】
ここで、電源コネクタ（１）１００における出力コネクタ（１）７の出力ブロック（１）１３と電源コネクタ（２）２００における出力コネクタ（２）８の出力ブロック（２）１６を、電源モジュール（１）２の入力ライン（１）１７に共通接続する。一方、電源コネクタ（１）１００における出力コネクタ（１）７の出力ブロック（２）１４と電源コネクタ（２）２００における出力コネクタ（２）８の出力ブロック（３）１５は、電源モジュール（２）の入力ライン（２）１８に共通接続する。電源モジュール（１）２および電源モジュール（２）３の出力は並列直流ライン１９により直流電源負荷４と接続する。
【００１０】
以下、図２及び図３により、図１に示す２入力給電可能な電子機器に対する本発明による給電方法を説明する。図２は本発明による１入力電源供給の接続ブロック図であり、図３は本発明による２入力電源供給の接続ブロック図である。
【００１１】
初めに、商用電力による１入力の場合を、図２を用いて説明する。１入力の場合、電子機器１の電源モジュール（１）２への給電は、電力設備（１）２４より商用電力２５を、電源コネクタ（１）１００における入力コネクタ（１）５の入力ブロック（１）９と同出力コネクタ（１）７の出力ブロック（１）１３を接続し、機器１内の入力ライン（１）１７により行う。電源モジュール（２）３への給電は、電源コネクタ（２）２００における入力コネクタ（２）６をループコネクタ２０として使用して、出力コネクタ（２）８の出力ブロック（３）１５と同出力ブロック（４）１６を、ループコネクタ２０の入力ブロック（５）２１と入力ブロック（６）２２をループライン２３にてループすることで電気的に接続し、機器１内の入力ライン（１）１７を介し、入力ライン（２）１８より受電可能とする。機器１内への直流電源負荷４に対しては、電源モジュール（１）２と電源モジュール（２）３の直流出力を並列直流ライン１９により接続することで、直流電源出力を並列接続されたものを供給できる。
【００１２】
次に、商用電力とバックアップ電力よる２入力の場合を、図３を用いて説明する。２入力の場合、機器１内の電源モジュール（１）２への給電は、図２の１入力の給電方法と全く同じであるが、電源モジュール（２）３への給電については、電力設備（２）２６よりバックアップ電力２７を、電源コネクタ（２）２００における入力コネクタ（２）６の入力ブロック（３）１１と同出力コネクタ（２）８の出力ブロック（３）１５を接続し、機器１内の入力ライン（２）１８により受電可能する。電源モジュール（１）２及び電源モジュール（２）３から直流電源負荷４への直流出力の供給は図２と全く同じである。
【００１３】
【発明の効果】
以上に説明したように、本発明によれば、電子機器への１入力もしくは２入力の電力給電を誤接続による給電不良や電源事故を起こすことなく安全に且つ安価に実現できる効果がある。
【図面の簡単な説明】
【図１】本発明による２入力給電可能な電子機器の構成図である。
【図２】本発明による１入力電源供給の接続ブロック図である。
【図３】本発明による２入力電源供給の接続ブロック図である
【符号の説明】
１    電子機器
２    電源モジュール１
３    電源モジュール２
４    直流電源負荷
５    入力コネクタ１
６    入力コネクタ２
７    出力コネクタ１
８    出力コネクタ２
９    入力ブロック１
１０    入力ブロック２
１１    入力ブロック３
１２    入力ブロック４
１３    出力ブロック１
１４    出力ブロック２
１５    出力ブロック３
１６    出力ブロック４
１７    入力ライン１
１８    入力ライン２
１９    並列直流ライン
２０    ループコネクタ
２３    ループライン
２４    電力設備１
２５    商用電力
２６    電力設備２
２７    バックアップ電力
１００  電源コネクタ１
２００  電源コネクタ２
【図１】
0003635370.tif 000002
【図２】
0003635370.tif 000003
【図３】
0003635370.tif 000004